(57)【特許請求の範囲】
【請求項１】
公営競技の投票券に関する情報を提供する投票券情報提供装置において、
前記公営競技のレースに関するオッズ情報を取得するオッズ情報取得手段と、
前記公営競技のレースに出場する競争体のうち１以上の競争体を指定する投票券の賭式と、当該賭式における買い目と、当該買い目のそれぞれに対する受付金額とを、ユーザから受け付ける受付手段と、
前記ユーザから受け付けた投票券の賭式の各買い目に対する各受付金額および前記取得したオッズ情報から計算される各予想配当金額のうち少なくとも１つの予想配当金額が、前記ユーザから受け付けた受付金額の合計に基づいた基準金額よりも少ない場合に、前記ユーザに通知する情報を出力する出力手段と、
を備え、
前記基準金額よりも少ない前記予想配当金額となる賭式および買い目を特定し、前記特定された賭式および買い目が示す投票券を買い増した場合の予想配当金額が、当該買い増し分上乗せされた前記基準金額以上となる前記賭式、買い目、および、買い増した金額を、前記出力手段が前記ユーザに通知する情報に含めて出力することを特徴とする投票券情報提供装置。
【請求項２】
請求項１に記載の投票券情報提供装置において、
前記基準金額よりも少ない前記予想配当金額となる賭式および買い目を特定し、前記特定された賭式および買い目が示す投票券を前記投票券の購入単位額分買い増した場合の予想配当金額が、当該買い増し分上乗せされた前記基準金額以上となるまで繰り返し、繰り返した結果となる前記賭式、買い目および買い増した金額を前記ユーザに通知する情報に含めて、前記出力手段が出力することを特徴とする投票券情報提供装置。
【請求項３】
請求項１または請求項２に記載の投票券情報提供装置において、
前記基準金額よりも少ない前記予想配当金額となる賭式および買い目のみを特定することを特徴とする投票券情報提供装置。
【請求項４】
請求項１から請求項３のいずれか１項に記載の投票券情報提供装置において、
前記買い増し分上乗せされた前記基準金額が、前記受付金額の合計と、前記賭式において前記基準金額よりも少ない前記予想配当金額となる買い目の数に前記投票券の購入単位額を掛けた額と、の加算額から計算され、当該買い増し分上乗せされた前記基準金額よりも少ない前記予想配当金額となる買い目から、前記買い増しする買い目を特定することを特徴とする投票券情報提供装置。
【請求項５】
請求項１から請求項４のいずれか１項に記載の投票券情報提供装置において、
前記ユーザから受け付けた前記賭式の種類が２以上の場合、当該賭式の種類のうち１の種類の賭式におけるオッズ情報と他の種類の賭式における前記オッズ情報との比較に応じて、前記買い増しする賭式を特定することを特徴とする投票券情報提供装置。
【請求項６】
請求項１から請求項５のいずれか１項に記載の投票券情報提供装置において、
前記受付金額の合計から求まる基準金額が、前記受付金額の合計よりも許容限度額分少ない額であることを特徴とする投票券情報提供装置。
【請求項７】
請求項６に記載の投票券情報提供装置において、
前記許容限度額は、前記ユーザのユーザ情報により設定されることを特徴とする投票券情報提供装置。
【請求項８】
公営競技の投票券に関する情報を提供する投票券情報提供装置の投票券情報提供方法において、
前記公営競技のレースに関するオッズ情報を取得するオッズ情報取得ステップと、
前記公営競技のレースに出場する競争体のうち１以上の競争体を指定する投票券の賭式と、当該賭式における買い目と、当該買い目のそれぞれに対する受付金額とを、ユーザから受け付ける受付ステップと、
前記ユーザから受け付けた投票券の賭式の各買い目に対する各受付金額および前記取得したオッズ情報から計算される各予想配当金額のうち少なくとも１つの予想配当金額が、前記ユーザから受け付けた受付金額の合計に基づいた基準金額よりも少ない場合に、前記ユーザに通知する情報を出力する出力ステップと、
を含み、
前記基準金額よりも少ない前記予想配当金額となる賭式および買い目を特定し、前記特定された賭式および買い目が示す投票券を買い増した場合の予想配当金額が、当該買い増し分上乗せされた前記基準金額以上となる前記賭式、買い目、および、買い増した金額を、前記出力ステップにおいて、前記ユーザに通知する情報に含めて出力することを特徴とする投票券情報提供方法。
【請求項９】
公営競技の投票券に関する情報を提供する投票券情報提供装置用プログラムにおいて、
コンピュータを、
前記公営競技のレースに関するオッズ情報を取得するオッズ情報取得手段、
前記公営競技のレースに出場する競争体のうち１以上の競争体を指定する投票券の賭式と、当該賭式における買い目と、当該買い目のそれぞれに対する受付金額とを、ユーザから受け付ける受付手段、および、
前記ユーザから受け付けた投票券の賭式の各買い目に対する各受付金額および前記取得したオッズ情報から計算される各予想配当金額のうち少なくとも１つの予想配当金額が、前記ユーザから受け付けた受付金額の合計に基づいた基準金額よりも少ない場合に、前記ユーザに通知する情報を出力する出力手段として機能させ、
前記基準金額よりも少ない前記予想配当金額となる賭式および買い目を特定し、前記特定された賭式および買い目が示す投票券を買い増した場合の予想配当金額が、当該買い増し分上乗せされた前記基準金額以上となる前記賭式、買い目、および、買い増した金額を、前記出力手段が前記ユーザに通知する情報に含めて出力することを特徴とする投票券情報提供装置用プログラム。
【発明の詳細な説明】
【技術分野】
【０００１】
本発明は、公営競技の投票券に関する情報を提供する投票券情報提供装置、投票券情報提供方法、および、投票券情報提供装置用プログラムの技術分野に関する。
【背景技術】
【０００２】
競馬や競輪といった公営競技の投票券の購入に関して、公営競技のレースにおいて、どの買い目が当たっても合計購入額よりも、予想配当金額が高くなるようにする投票券購入方法がある。例えば、特許文献１では、買い目のベットの払戻金がどのベットでも同じになるように賭金を配分することが開示されている。
【先行技術文献】
【特許文献】
【０００３】
【特許文献１】特開２００６−１５５５７４号公報
【発明の概要】
【発明が解決しようとする課題】
【０００４】
ところで、投票券を購入した後、時間が経過してオッズが変動してしまうと、一部の買い目の予想配当金額が合計購入金額よりも低くなってしまい、ユーザにとって予想外の損失が生じてしまうことがあった。【０００５】
本発明は、このような問題に鑑みてなされたものであり、その課題の一例は、ユーザにとって予想外の損失を防止する投票券の情報を提供することを目的とする。
【課題を解決するための手段】
【０００６】
上記課題を解決するために、請求項１に記載の発明は、公営競技の投票券に関する情報を提供する投票券情報提供装置において、前記公営競技のレースに関するオッズ情報を取得するオッズ情報取得手段と、前記公営競技のレースに出場する競争体のうち１以上の競争体を指定する投票券の賭式と、当該賭式における買い目と、当該買い目のそれぞれに対する受付金額とを、ユーザから受け付ける受付手段と、前記ユーザから受け付けた投票券の賭式の各買い目に対する各受付金額および前記取得したオッズ情報から計算される各予想配当金額のうち少なくとも１つの予想配当金額が、前記ユーザから受け付けた受付金額の合計に基づいた基準金額よりも少ない場合に、前記ユーザに通知する情報を出力する出力手段と、を備え、前記基準金額よりも少ない前記予想配当金額となる賭式および買い目を特定し、前記特定された賭式および買い目が示す投票券を買い増した場合の予想配当金額が、当該買い増し分上乗せされた前記基準金額以上となる前記賭式、買い目、および、買い増した金額を、前記出力手段が前記ユーザに通知する情報に含めて出力することを特徴とする。
【０００７】
従って、投票券の購入後にオッズが低下してしまい、予想配当金額が基準金額よりも少ない場合に、ユーザに通知する情報を出力するので、ユーザにとって予想外の損失を防止することができる。また、買い増しにより予想外の損失を低減できるように、ユーザにレコメンドできる。また、基準金額よりも少ない予想配当金額となる賭式および買い目を特定してから、買い増しする額を決めるので、効率的に買い増しする金額を決めることができる。また、どの賭式の買い目の予想配当金額が基準金額よりも少なくなったことが分かり、ユーザにとって予想外の損失を防止することができる。
【００１２】
請求項２に記載の発明は、請求項１に記載の投票券情報提供装置において、前記基準金額よりも少ない前記予想配当金額となる賭式および買い目を特定し、前記特定された賭式および買い目が示す投票券を前記投票券の購入単位額分買い増した場合の予想配当金額が、当該買い増し分上乗せされた前記基準金額以上となるまで繰り返し、繰り返した結果となる前記賭式、買い目および買い増した金額を前記ユーザに通知する情報に含めて、前記出力手段が出力することを特徴とする。
【００１３】
この場合、買い増しにより予想外の損失を低減できるように、ユーザにレコメンドできる。また、基準金額よりも少ない予想配当金額となる賭式および買い目を特定してから、買い増しする額を、購入単位額分買い増して逐次決めるので、簡易に効率的に買い増しする金額を決めることができる。【００１４】
請求項３に記載の発明は、請求項１または請求項２のいずれか１項に記載の投票券情報提供装置において、前記基準金額よりも少ない前記予想配当金額となる賭式および買い目のみを特定することを特徴とする。
【００１５】
この場合、基準金額よりも少ない予想配当金額となる賭式および買い目のみに買い増する対象を絞り込むことにより、買い増する買い目を効果的に探索できる。【００１６】
請求項４に記載の発明は、請求項１から請求項３のいずれか１項に記載の投票券情報提供装置において、前記買い増し分上乗せされた前記基準金額が、前記受付金額の合計と、前記賭式において前記基準金額よりも少ない前記予想配当金額となる買い目の数に前記投票券の購入単位額を掛けた額と、の加算額から計算され、当該買い増し分上乗せされた前記基準金額よりも少ない前記予想配当金額となる買い目から、前記買い増しする買い目を特定することを特徴とする。
【００１７】
この場合、買い増する対象を絞り込むことにより、買い増する買い目を効果的に探索できる。【００１８】
請求項５に記載の発明は、請求項１から請求項４のいずれか１項に記載の投票券情報提供装置において、前記ユーザから受け付けた前記賭式の種類が２以上の場合、当該賭式の種類のうち１の種類の賭式におけるオッズ情報と他の種類の賭式における前記オッズ情報との比較に応じて、前記買い増しする賭式を特定することを特徴とする。
【００１９】
この場合、買い増す賭式を効果的に絞り込むことができる。【００２０】
請求項６に記載の発明は、請求項１から請求項５のいずれか１項に記載の投票券情報提供装置において、前記受付金額の合計から求まる基準金額が、前記受付金額の合計よりも許容限度額分少ない額であることを特徴とする。
【００２１】
この場合、買い増しをする金額を少なくすることができる。【００２２】
請求項７に記載の発明は、請求項６に記載の投票券情報提供装置において、前記許容限度額は、前記ユーザのユーザ情報により設定されることを特徴とする。
【００２３】
この場合、ユーザに応じて、各ユーザに適合した許容限度額を設定できる。【００２４】
請求項８に記載の発明は、公営競技の投票券に関する情報を提供する投票券情報提供装置の投票券情報提供方法において、前記公営競技のレースに関するオッズ情報を取得するオッズ情報取得ステップと、前記公営競技のレースに出場する競争体のうち１以上の競争体を指定する投票券の賭式と、当該賭式における買い目と、当該買い目のそれぞれに対する受付金額とを、ユーザから受け付ける受付ステップと、前記ユーザから受け付けた投票券の賭式の各買い目に対する各受付金額および前記取得したオッズ情報から計算される各予想配当金額のうち少なくとも１つの予想配当金額が、前記ユーザから受け付けた受付金額の合計に基づいた基準金額よりも少ない場合に、前記ユーザに通知する情報を出力する出力ステップと、を含み、前記基準金額よりも少ない前記予想配当金額となる賭式および買い目を特定し、前記特定された賭式および買い目が示す投票券を買い増した場合の予想配当金額が、当該買い増し分上乗せされた前記基準金額以上となる前記賭式、買い目、および、買い増した金額を、前記出力ステップにおいて、前記ユーザに通知する情報に含めて出力することを特徴とする。
【００２５】
請求項９に記載の発明は、公営競技の投票券に関する情報を提供する投票券情報提供装置用プログラムにおいて、コンピュータを、前記公営競技のレースに関するオッズ情報を取得するオッズ情報取得手段、前記公営競技のレースに出場する競争体のうち１以上の競争体を指定する投票券の賭式と、当該賭式における買い目と、当該買い目のそれぞれに対する受付金額とを、ユーザから受け付ける受付手段、および、前記ユーザから受け付けた投票券の賭式の各買い目に対する各受付金額および前記取得したオッズ情報から計算される各予想配当金額のうち少なくとも１つの予想配当金額が、前記ユーザから受け付けた受付金額の合計に基づいた基準金額よりも少ない場合に、前記ユーザに通知する情報を出力する出力手段として機能させ、前記基準金額よりも少ない前記予想配当金額となる賭式および買い目を特定し、前記特定された賭式および買い目が示す投票券を買い増した場合の予想配当金額が、当該買い増し分上乗せされた前記基準金額以上となる前記賭式、買い目、および、買い増した金額を、前記出力手段が前記ユーザに通知する情報に含めて出力することを特徴とする。
【発明の効果】
【００２６】
本発明によれば、投票券の購入後にオッズが低下してしまい、予想配当金額が基準金額よりも少ない場合に、ユーザに通知する情報を出力するので、ユーザにとって予想外の損失を防止することができる。
【図面の簡単な説明】
【００２７】
【図１】本発明の実施形態に係る投票券情報提供システムの概要構成例を示す模式図である。
【図２】図１の投票券情報提供サーバの概要構成の一例を示すブロック図である。
【図３】図２の投票券情報提供サーバの購入投票券データベースの一例を示す模式図である。
【図４】図１の主催者サーバの概要構成の一例を示すブロック図である。
【図５】図１の端末装置の概要構成の一例を示すブロック図である。
【図６】図１の端末装置の表示の一例を示す模式図である。
【図７】図１の端末装置の表示の一例を示す模式図である。
【図８】図１の投票券情報提供システムの動作例を示すフローチャートである。
【図９】購入時のオッズによる予想配当金額の一例を示す模式図である。
【図１０】オッズが変化した後の予想配当金額の一例を示す模式図である。
【図１１】購入時のオッズによる予想配当金額の一例を示す模式図である。
【図１２】オッズが変化した後の予想配当金額の一例を示す模式図である。
【図１３】オッズが変化した後の予想配当金額の一例を示す模式図である。
【図１４】所定単位分毎に買い増した場合の予想配当額の一例を示す模式図である。
【図１５】所定単位分毎に買い増した場合の予想配当額の一例を示す模式図である。
【図１６】所定単位分毎に買い増した場合の予想配当額の一例を示す模式図である。
【図１７】ユーザに通知する情報の一例を示す模式図である。
【図１８】ユーザに通知する情報の一例を示す模式図である。
【図１９】ユーザに通知する情報の一例を示す模式図である。
【発明を実施するための形態】
【００２８】
以下、図面を参照して本発明の実施形態について説明する。なお、以下に説明する実施の形態は、投票券情報提供システムに対して本発明を適用した場合の実施形態である。
【００２９】
［１．投票券情報提供システムの構成および機能概要］
まず、本発明の一実施形態に係る投票券情報提供システムの構成および概要機能について、図１を用いて説明する。
【００３０】
図１は、本実施形態に係る投票券情報提供システム１の概要構成例を示す模式図である。
【００３１】
図１に示すように、投票券情報提供システム１は、競馬、競輪、競艇等の公営競技における投票券に関する情報を提供する投票券情報提供サーバ１０（投票券情報提供装置の一例）と、公営競技を主催または運営し、投票券を発行する主催者側の主催者サーバ２０と、投票券情報提供サーバ１０からの情報の提供を受けて、ユーザが競技（レース）に対して投票券の購入を行うための端末装置３０（投票券情報提供装置の一例）と、を備えている。
【００３２】
投票券情報提供サーバ１０と、主催者サーバ２０と、端末装置３０とは、ネットワーク３により接続され、通信プロトコル（例えば、ＴＣＰ／ＩＰ）により、データの送受信が可能になっている。なお、ネットワーク３は、例えば、インターネット、専用通信回線（例えば、ＣＡＴＶ（Community Antenna Television）回線）、移動体通信網（基地局等を含む）、および、ゲートウェイ等により構築されている。なお、投票券情報提供サーバ１０と、主催者サーバ２０とは、セキュリティ向上のため専用回線で接続されていてもよい。
【００３３】
投票券情報提供サーバ１０は、主催元が発表するレースのオッズや、レース場の状態や、レースに出場する馬や自転車やボート等の競争体の情報や、レースの結果等の情報を主催者サーバより受信する。また、投票券情報提供サーバ１０は、端末装置３０におけるユーザの投票券の購入を支援する情報を端末装置３０に出力する。また、投票券情報提供サーバ１０は、投票券の購入の受付や、各端末装置３０に対して的中した投票券に対する払い戻し等の処理を行う。このように、投票券情報提供サーバ１０は、競馬サイト等の公営競技のサイトを運営のためのサーバである。
【００３４】
ここで、オッズとは配当率（賭金に対する倍率）であり、レース開始前に概算オッズとして逐次発表されるものと、投票券発売締切以降に確定オッズ（最終的に確定した最終オッズ）として発表されるものとがある。また、投票券の投票券種別（投票法の種類、いわゆる賭式）毎、レースに出場する競争体のうち１以上の競争体を指定する買い目（競争体の競争体番号により構成される買い目）毎にオッズがある。すなわち、賭式と買い目とに対応した投票券毎にオッズがある。なお、レースの競争体には、馬の騎手や、自転車やボートを操縦する選手を含めてもよい。
【００３５】
また、投票券の賭式の一例として、１着になると予想される競争体を指定する単勝、１着および２着になると予想される競争体を順番通りに指定する馬単等の競争体番号連勝単式、１着、２着、３着になると予想される競争体を順番通りに指定する３連単、１着から３着、または、１着から２着に入ると予想される競争体を１つ指定する複勝、１着から２着に入ると予想される競争体を２つ指定する馬連等の普通競争体番号連勝複式、１着から２着に入ると予想される競争体が入っている枠を指定する枠連、１着から３着に入ると予想される競争体を２つ指定するワイド、１着から３着に入ると予想される競争体を３つ指定する３連複等が挙げられる。
【００３６】
また、買い目として、単勝の場合、１着と予想される競争体の番号、馬単の場合、１着および２着になると予想される競争体の番号、３連単の場合、１着、２着、３着になると予想される競争体の番号、馬連の場合、２つの指定された競争体番号の組み、枠連の場合、２つの指定された枠番号（枠の中に入る競争体の競争体番号が対応している）の組み、ワイドの場合、２つの指定された競争体番号の組み、３連複の場合、３つの指定された競争体番号の組み、連勝の場合、１つの指定された競争体番号が挙げられる。
【００３７】
主催者サーバ２０は、投票券情報提供サーバ１０や、レース場や投票券発売所に設置された端末装置等に対して、投票券の発行処理をしたり、発行された投票券に基づきオッズを集計して発表処理したりする。
【００３８】
ユーザの端末装置３０は、複数存在し、投票券を購入するための情報を表示し、購入する投票券に関する情報を投票券情報提供サーバ１０に送信する。また、ユーザの端末装置３０は、投票券を購入後の情報を、画像や音で通知する。
【００３９】
［２．各サーバの構成および機能］
（２．１  投票券情報提供サーバ１０の構成および機能）
次に、投票券情報提供サーバ１０の構成および機能について、図２および図３を用いて説明する。
【００４０】
図２は、投票券情報提供サーバ１０の概要構成の一例を示すブロック図である。図３は、投票券情報提供サーバ１０の購入投票券データベースの一例を示す模式図である。
【００４１】
図２に示すように、コンピュータとして機能する投票券情報提供サーバ１０は、通信部１１と、記憶部１２と、入出力インターフェース部１３と、システム制御部１４と、を備えている。そして、システム制御部１４と入出力インターフェース部１３とは、システムバス１５を介して接続されている。
【００４２】
通信部１１（オッズ情報取得手段の一例、出力手段の一例、受付手段の一例）は、ネットワーク３に接続して主催者サーバ２０と端末装置３０等との通信状態を制御し、さらに、ローカルエリアネットワークに接続して、ローカルエリアネットワーク上の他のサーバとデータの送受信を行う。
【００４３】
記憶部１２は、例えば、ハードディスクドライブ等により構成されており、オペレーティングシステムおよびサーバプログラム等の各種プログラムや、ユーザに提供するレースに関する情報を提示するためのウェブページの画面データ等を記憶する。なお、各種プログラムは、例えば、他のサーバ装置等からネットワーク３を介して取得されるようにしてもよいし、記録媒体に記録されてドライブ装置（図示せず）を介して読み込まれるようにしてもよい。
【００４４】
また、記憶部１２には、各競技場で開催されるレースに関するレース情報等を、主催者サーバ２０から受信して記憶するレース情報データベース１２ａ（以下「レース情報ＤＢ１２ａ」とする。）と、ユーザにより購入された投票券の情報を記憶する購入投票券データベース１２ｂ（以下「購入投票券ＤＢ１２ｂ」とする。）と、ユーザから投票券購入のための資金の入金情報を端末装置３０から受け付けて記憶する（以下「口座ＤＢ１２ｃ」とする。）と、会員に関する情報を記憶する会員データベース１２ｄ（以下「会員ＤＢ１２ｄ」とする。）等が構築されている。
【００４５】
レース情報ＤＢ１２ａ（記憶手段の一例）には、主催者サーバ２０から取得したオッズ情報、レースの結果等のレース情報が、各競技場で開催されるレースを特定するレースＩＤに関連付けられ記憶される。
【００４６】
ここで、レース情報の一例として、レース開始前の概算オッズ情報の他に、競技場名、競技場の天候、馬場がダート、芝であるといった競技場の種類等のレース条件、開催されるレース名、レースに出場する馬の名前、年齢、体重や、自転車やボートの種類等の競争体の状態（馬の騎手や、自転車やボートの選手等の名前、年齢、体重等も含む）等が挙げられる。さらに、レース情報として投票券の発売が終了した場合の最終オッズの情報や、レースが終了して順位が確定した場合のレースの順位、１着と２着とのタイム差等も挙げられる。
【００４７】
さらに、レース情報ＤＢ１２ａには、投票券種別毎および競争体パターン毎のオッズ情報が、レースＩＤに関連付けられ記憶される。
【００４８】
購入投票券ＤＢ１２ｂには、図３に示すように、投票券を購入したユーザのユーザＩＤに関連付けられて、購入した投票券のレースＩＤ、賭式、買い目、購入金額、購入時のオッズ等が記憶されている。なお、買い目の欄に記載されるデータには、賭式が馬単で、１着になると予想される競争体の競争体番号”1”、２着になると予想される競争体の競争体番号”2”の場合、”1-2”となる。また、賭式が馬連で、１着および２着になると予想される競争体の競争体番号の組み（競争体の競争体番号”1”と競争体番号”2”との組み）も、”1-2”とする。
【００４９】
口座ＤＢ１２ｃには、ユーザが投票券を購入するための資金が入金され、その金額がユーザＩＤに関連付けられ記憶される。例えば、ユーザは、レースが開催される日に購入する投票券の予算を決めて、投票券を買う前にインターネット上の銀行等から、端末装置３０によって予算分の金額を口座ＤＢ１２ｃに振り込みをする。また、投票券が的中した場合、口座ＤＢ１２ｃには払戻金が入金される。また、ユーザが投票券を購入すると、口座ＤＢ１２ｃにおけるユーザの残高から購入の金額が差し引かれる。さらに、口座ＤＢ１２ｃには、ユーザによる銀行等からの入金と、払戻金による入金との累計である累計入金額が記憶される。
【００５０】
会員ＤＢ１２ｄには、会員登録されたユーザ（競馬サイトの利用者）のユーザＩＤ、名称、住所、電話番号、メールアドレス、職業、趣味、購買履歴、ユーザの関心があるテーマやジャンル等のユーザ情報が登録されている。また、会員ＤＢ１２ｄには、ユーザが端末装置３０から競馬サイトにログインする際に必要な、ユーザＩＤ、ログインＩＤ、および、パスワードが登録されている。ここで、ログインＩＤおよびパスワードは、ログイン処理（ユーザの認証処理）に使用されるログイン情報である。
【００５１】
また、記憶部１２には、競馬サイトからの情報を端末装置３０に表示させるために、ＨＴＭＬ（HyperText Markup Language）、ＸＭＬ（Extensible Markup Language）等のマークアップ言語等により記述されたウェブページのファイル等が記憶されている。
【００５２】
入出力インターフェース部１３は、通信部１１および記憶部１２とシステム制御部１４との間のインターフェース処理を行う。
【００５３】
システム制御部１４は、ＣＰＵ（Central Processing Unit）１４ａ、ＲＯＭ（Read Only Memory）１４ｂ、ＲＡＭ（Random Access Memory）１４ｃ等により構成されている。システム制御部１４は、ＣＰＵ１４ａがＲＯＭ１４ｂや記憶部１２に記憶された各種プログラムを読み出し実行することにより、投票券情報提供のための処理等を行う。
【００５４】
（２．２  主催者サーバ２０の構成および機能）
次に、主催者サーバ２０の構成および機能について、図４を用いて説明する。
図４は、主催者サーバ２０の概要構成の一例を示すブロック図である。
【００５５】
図４に示すように、主催者サーバ２０は、通信部２１と、記憶部２２と、入出力インターフェース部２３と、システム制御部２４と、を備え、システム制御部２４と入出力インターフェース部２３とは、システムバス２５を介して接続されている。なお、主催者サーバ２０の構成および機能は、投票券情報提供サーバ１０の構成および機能とほぼ同じであるので、投票券情報提供サーバ１０の各構成や各機能において、異なるところを中心に説明する。
【００５６】
通信部２１（オッズ情報取得手段の一例）は、ネットワーク３やローカルエリアネットワーク等を通して、端末装置３０や投票券情報提供サーバ１０等と通信状態を制御等するようになっている。
【００５７】
記憶部２２には、レースに関する情報等が記憶されている。
【００５８】
システム制御部２４は、ＣＰＵ２４ａ、ＲＯＭ２４ｂ、ＲＡＭ２４ｃ等により構成されている。そして、システム制御部２４は、ＣＰＵ２４ａが、ＲＯＭ２４ｂや記憶部２２に記憶された各種プログラムを読み出し実行することにより、投票券情報提供サーバ１０にオッズ情報を送信する処理等を行う。
【００５９】
（２．３  端末装置３０の構成および機能）
次に、端末装置３０の構成および機能について、図５を用いて説明する。
図５は、端末装置３０の概要構成の一例を示すブロック図である。
【００６０】
図５に示すように、コンピュータとして機能する端末装置３０は、例えば、パーソナルコンピュータやスマートフォンを含む携帯型無線電話機やＰＤＡ等の携帯端末であり、通信部３１と、記憶部３２と、表示部３３と、操作部３４と、入出力インターフェース部３５と、システム制御部３６とを備えている。そして、システム制御部３６と入出力インターフェース部３５とは、システムバス３７を介して接続されている。
【００６１】
通信部３１は、ネットワーク３を通して、投票券情報提供サーバ１０等と通信を制御する。なお、端末装置３０が携帯端末装置の場合、ネットワーク３の移動体通信網に接続するために、通信部３１は、無線通信機能を有する。
【００６２】
記憶部３２は、例えば、ハードディスクドライブ等からなり、オペレーティングシステム、ウェブブラウザのプログラムやウェブブラウザ用ツールバーのプログラム等を記憶する。また、記憶部３２は、投票券情報提供サーバ１０からの情報を表示したり、投票券の購入を行ったりする専用のアプリケーションソフト（いわゆるアプリ）等を記憶する。
【００６３】
表示部３３（出力手段の一例）は、例えば、液晶表示素子またはＥＬ（Electro Luminescence）素子等によって構成されている。表示部３３には、競馬サイトのトップページの画面や特定のレースに関する投票券を購入するためのレース情報表のウェブページがウェブブラウザにより表示される。
【００６４】
操作部３４（受付手段の一例）は、例えば、キーボードおよびマウス等によって構成されている。ユーザは、操作部３４により応答を入力する。なお、表示部３３がタッチパネルのようなタッチスイッチ方式の表示パネルの場合、操作部３４は、ユーザが接触または近接した表示部３３の位置情報を取得する。
【００６５】
入出力インターフェース部３５は、通信部３１および記憶部３２とシステム制御部３６とのインターフェースである。
【００６６】
システム制御部３６は、例えば、ＣＰＵ３６ａと、ＲＯＭ３６ｂと、ＲＡＭ３６ｃとを有する。システム制御部３６は、ＣＰＵ３６ａが、ＲＯＭ３６ｂや、ＲＡＭ３６ｃや、記憶部３２に記憶された各種プログラムを読み出して実行する。例えば、システム制御部３６は、ウェブブラウザのプログラムを実行しウェブブラウザとして機能する。
【００６７】
［３．投票券情報提供システムの動作］
次に、本発明の１実施形態に係る投票券情報提供システム１の動作について図６から図１９を用い説明する。
【００６８】
図６０および図７は、端末装置３０の表示の一例を示す模式図である。図８は、投票券情報提供システム１の動作例を示すフローチャートである。
【００６９】
図９および図１１は、購入時のオッズによる予想配当金額の一例を示す模式図である。図１０、図１２、および、図１３は、オッズが変化した後の予想配当金額の一例を示す模式図である。図１４から図１６は、所定単位分毎に買い増した場合の予想配当額の一例を示す模式図である。図１７から図１９は、ユーザに通知する情報の一例を示す模式図である。
【００７０】
まず、ユーザは、予めユーザが投票券の購入に必要なお金を、競馬サイトに入金しておく。例えば、ユーザは、今日開催されるレースに対して購入する投票券の予算として、投票券を購入する前に、投票券購入の資金を、投票券情報提供サーバ１０に開設してある自分の口座に予め入金をしておく。ユーザは、端末装置３０から投票券情報提供サーバ１０の競馬サイトにログインして、入金の手続きを行う。投票券情報提供サーバ１０は、会員ＤＢ１２ｄを参照して、ログイン処理を行い、入金を受け付ける。そして、投票券情報提供サーバ１０は、口座ＤＢ１２ｃにおけるユーザＩＤに対応する口座に入金情報を記憶する。なお各レースの状況を見て、レース毎に入金手続きを行ってもよい。
【００７１】
入金を受けた後、ユーザは、例えば、レース情報表に基づき、投票券を購入するための検討を行い、購入する投票券が決まったならば、ウェブページやアプリにおいて、レース番号、賭式、および、買い目を選択して、購入金額（受付金額）を入力する。
【００７２】
例えば、図６に示すように、レース番号、賭式、および、買い目を選択し、的中した場合の各買い目における予想配当金が、合計の購入金額（”計：\800”）（受付金額の合計）を越えるように、各買い目の購入金額を決める。また、賭式が複数の場合、図７に示すように、レース結果が確定した際に、異なる賭式で同時に的中となる買い目（単勝”1”と、馬単”1-2”および馬単”1-3”）においては、異なる賭式を組み合わせた予想配当金額が、合計の購入金額（計：”\3,300”）を越えるように、または、単独で的中となる買い目（馬単”2-1”等）においては、各買い目の予想配当金額が、合計の購入金額（計：”\3,300”）を越えるように、各買い目の購入金額を決める。なお、予想配当金額は、購入金額×現在のオッズである。
【００７３】
なお、投票券情報提供サーバ１０は、レース情報表を、主催者サーバ２０から逐次送信されてくるレース情報（オッズ情報を含む）から生成する。
【００７４】
購入金額の入力後、ユーザにより購入ボタンがクリックされると、ユーザＩＤと共に、レース番号、賭式、買い目、購入金額等の投票券購入情報が、端末装置３０から投票券情報提供サーバ１０に送信される。
【００７５】
次に、図８に示すように、投票券情報提供システム１は、投票券の賭式、賭式における買い目、および、各買い目に対する金額等の投票券購入情報を受け付ける（ステップＳ１）。具体的には、投票券情報提供サーバ１０が、通信部１１を通して、端末装置３０から、投票券購入情報を受信する。
【００７６】
投票券情報提供サーバ１０は、受け付けた投票券購入情報を、ユーザＩＤに関連付けて購入投票券ＤＢ１２ｂに記憶する。
【００７７】
このように、投票券情報提供サーバ１０は、前記公営競技のレースに出場する競争体のうち１以上の競争体を指定する投票券の賭式と、当該賭式における買い目と、当該買い目のそれぞれに対する受付金額とを、ユーザから受け付ける受付手段の一例として機能する。
【００７８】
投票券情報提供サーバ１０は、所定時間間隔で、他のユーザを含めた各端末装置３０から受け付けた投票券購入情報を、レース、賭式、および、買い目毎に集計して、サマリーデータを生成する。投票券情報提供サーバ１０は、生成したサマリーデータを、主催者サーバ２０に送信する。
【００７９】
なお、投票券情報提供サーバ１０は、所定時間間隔に限らず、不規則な間隔で、主催者サーバ２０にサマリーデータを送信してもよいし、主催者サーバ２０からの要求に応じて、サマリーデータを主催者サーバ２０に送信してもよい。また、サマリーデータは、例えば、各ユーザの名義に対応するユーザＩＤを通常含まれず、レース、賭式、および、買い目毎に、投票数が集計されたデータである。
【００８０】
次に、投票券情報提供システム１は、投票券の受付締め切りか否かを判定する（ステップＳ２）。具体的には、投票券情報提供サーバ１０は、投票券のレース番号のレースに関して、受付が締め切られたか否かを判定する。例えば、投票券の受付締め切りは、予め定められたレースが開始される時刻の所定時刻前、主催者サーバ２０から投票券の受付締切の情報を受信した場合等が挙げられる。この所定時間は、例えば、ユーザの投票券購入に要する時間を考慮して設定される。
【００８１】
投票券の受付が締め切られた場合（ステップＳ２；ＹＥＳ）、投票券情報提供システム１は、処理を終了する。
【００８２】
投票券の受付が締め切られてない場合（ステップＳ２；ＮＯ）、投票券情報提供システム１は、最新のオッズ情報を取得する（ステップＳ３）。具体的には、投票券情報提供サーバ１０のシステム制御部１４は、通信部１１を通して、主催者サーバ２０から逐次送信されてくるレース情報として、最新のオッズ情報を逐次受信する。
【００８３】
このように、投票券情報提供サーバ１０は、前記公営競技のレースに関するオッズ情報を取得するオッズ情報取得手段の一例として機能する。
【００８４】
次に、投票券情報提供サーバ１０は、レース情報をレース情報ＤＢ１２ａに記憶する。具体的には、投票券情報提供サーバ１０のシステム制御部１４は、レースＩＤに関連付けて、レース情報をレース情報ＤＢ１２ａに記憶して、蓄積、更新する。このように、最新のレース情報がレース情報ＤＢ１２ａに記憶される。
【００８５】
ここで、レース情報の生成について説明する。
【００８６】
主催者サーバ２０は、投票券情報提供サーバ１０からのサマリーデータや投票券売り場からのデータ等に基づき、各レースにおける賭式および買い目毎のオッズを計算する。また、主催者サーバ２０は、レース場の状態の情報を取得する。主催者サーバ２０は、計算されたオッズや、取得したレース場の状態の情報等からレース情報を生成する。
【００８７】
なお、主催者サーバ２０のシステム制御部２４は、所定時間間隔に限らず、不規則な間隔で、レース情報を投票券情報提供サーバ１０に送信してもよいし、投票券情報提供サーバ１０からの要求に応じて、レース情報を投票券情報提供サーバ１０に送信してもよい。また、主催者サーバ２０のシステム制御部２４は、オッズが更新される度に、オッズ情報を投票券情報提供サーバ１０に送信してもよい。
【００８８】
次に、主催者サーバ２０は、レース情報を投票券情報提供サーバ１０に逐次送信する。具体的には、主催者サーバ２０のシステム制御部２４は、通信部２１を通して、レースが開催されている間において、例えば、所定時間間隔で、投票券の売り上げ状況において変化する各投票券のオッズ情報等のレース情報を、レースを特定するレースＩＤ、賭式、買い目と共に投票券情報提供サーバ１０に送信する。
【００８９】
最新のオッズ情報を取得した後、投票券情報提供システム１は、予想配当金額を算出する（ステップＳ４）。具体的には、投票券情報提供サーバ１０が、最新のオッズと、購入金額とを掛けた予想配当金額を算出する。
【００９０】
次に、投票券情報提供システム１は、予想配当金額が基準金額よりも少ないか否かを判定する（ステップＳ５）。具体的には、投票券情報提供サーバ１０が、予想配当金額が基準金額より少ない買い目があるか否かを判定する。
【００９１】
ここで、基準金額の例として、合計の購入金額（例えば、図７に示す場合は\800、図８に示す場合は\3,300）、合計の購入金額から所定の減額を許容した金額（例えば、合計の購入金額の５％の減額した金額、ユーザの履歴に基づき減額した金額等）、各予想配当金額から所定の割合減額した金額等が挙げられる。
【００９２】
予想配当金額が基準金額より少なくなる場合として、図９および図１０に示すように、賭式”馬連”の買い目”1-2”が、購入時のオッズ”3.0”からオッズ”1.5”に下がり、予想配当金額が\750まで下落して、予想配当金額が合計の購入金額\800（基準金額）より少なくなる場合がある。
【００９３】
図１１および図１２に示すように、異なる賭式において、同時に的中する場合、組み合わせ合計予想配当金額が、基準金額より少なくなるか否かで判定される。例えば、予想配当金額（組み合わせ合計予想配当金額）が基準金額より少なくなる場合として、賭式”馬単”の買い目”1-2”が購入時のオッズ”3.0”からオッズ”1.8”に下がり予想配当金額\1,800まで下落し、かつ、賭式”馬単”の買い目”1-2”と同時に的中する賭式”単勝”の買い目”1”が購入時のオッズ”3.5”からオッズ”2.5”に下がり予想配当金額\1,250まで下落し、組み合わせによる合計予想金額が\3,050まで下落し、合計予想金額が合計の購入金額\3,300（基準金額）より少なくなる場合がある。
【００９４】
なお、賭式”馬単”の買い目”1-3”と同時に的中する賭式”単勝”の買い目”1”が購入時のオッズ”3.5”からオッズ”2.5”に下がり、組み合わせによる合計予想金額が\4,950まで下落しているが、合計予想金額が合計の購入金額\3,300（基準金額）以上であるので、賭式”馬単”の買い目”1-3”および賭式”単勝”の買い目”1”の組み合わせの買い目は、予想配当金額が基準金額より少ないと判定されない。また、賭式”馬単”の買い目”2-1”等は、単独で判定される。
【００９５】
図１１および図１３に示すように、複数の買い目において、予想配当金額が基準金額よりも少なくなる場合がある。
【００９６】
図１３に示すように、賭式”馬単”の買い目”1-2”が購入時のオッズ”3.0”からオッズ”1.5”に下がり予想配当金額\1,500まで下落し、かつ、賭式”馬単”の買い目”1-2”と同時に的中する賭式”単勝”の買い目”1”が購入時のオッズ”3.5”からオッズ”2.5”に下がり予想配当金額\1,250まで下落し、組み合わせによる合計予想金額が\2,750まで下落し、合計予想金額が合計の購入金額\3,300（基準金額）より少なくなる。
【００９７】
さらに、図１３に示すように、賭式”馬単”の買い目”1-3”が購入時のオッズ”8.0”からオッズ”4.0”に下がり予想配当金額\1,600まで下落し、かつ、賭式”馬単”の買い目”1-3”と同時に的中する賭式”単勝”の買い目”1”が購入時のオッズ”3.5”からオッズ”2.5”に下がり予想配当金額\1,250まで下落し、組み合わせによる合計予想金額が\2,850まで下落し、合計予想金額が合計の購入金額\3,300（基準金額）より少なくなる。
【００９８】
予想配当金額が基準金額よりも少なく無い場合（ステップＳ５；ＮＯ）、投票券情報提供システム１は、ステップＳ２の処理に戻る。
【００９９】
予想配当金額が基準金額よりも少ない場合（ステップＳ５；ＹＥＳ）、投票券情報提供システム１は、買い増しする賭式および買い目を特定する（ステップＳ６）。具体的には、投票券情報提供サーバ１０が、基準金額を下回った買い目から、買い増しする賭式および買い目を特定する。
【０１００】
図１０に示すように、基準金額よりも少ない予想配当金額となる賭式および買い目、すなわち、基準金額を下回った賭式”馬連”の買い目”1-2”が特定される。
【０１０１】
図１２に示すように、基準金額を下回った賭式”馬単”の買い目”1-2”と賭式”単勝”の買い目”1”との組から、買い目が特定される。このとき、賭式”馬単”の買い目”1-2”の現在のオッズと、賭式”単勝”の買い目”1”の現在のオッズと、を比較して、高い方のオッズの買い目が特定される。
【０１０２】
また、図１３に示すように、基準金額を下回った賭式”馬単”の買い目”1-2”と賭式”単勝”の買い目”1”との組、並びに、基準金額を下回った賭式”馬単”の買い目”1-3”と賭式”単勝”の買い目”1”との組から、所定の買い目が特定される。
【０１０３】
ここで、賭式”馬単”の買い目”1-2”の現在のオッズを”ａ”とし、賭式”馬単”の買い目”1-3”の現在のオッズを”ｂ”とし、賭式”単勝”の買い目”1”の現在のオッズを”ｃ”とする。
【０１０４】
賭式”単勝”の買い目”1”を\100買い増すと、賭式”馬単”の買い目”1-2”および賭式”単勝”の買い目”1”の組合せ合計予想配当金額と、賭式”馬単”の買い目”1-3”および賭式”単勝”の買い目”1”の組合せ合計予想配当金額との２つが、\100×ｃ増加する。一方、賭式”馬単”を買い増す場合、買い目”1-2”および買い目”1-3”の２つを買い増す必要があるため、各買い目に対して\100買い増すと、合計\200円買い増す必要がある。
【０１０５】
このため、ａ＞２ｃかつｂ＞２ｃの場合は、賭式”単勝”の買い目”1”を\200買い増すより、賭式”馬単”の買い目”1-2”および買い目”1-3”のそれぞれを\100買い増す方が、組合せ合計予想金額が上昇し易い。従って、ａ＞２ｃかつｂ＞２ｃの場合は、賭式”馬単”を買い増す場合、買い目”1-2”および買い目”1-3”が特定される。
【０１０６】
図１３に示すように、ａ＝1.5、ｂ＝4.0、ｃ＝2.5の場合、ａ＞２ｃかつｂ＞２ｃが成立しないので、賭式”単勝”の買い目”1”が特定される。
【０１０７】
このように、投票券情報提供サーバ１０が、ユーザから受け付けた賭式の種類が２以上の場合、当該賭式の種類のうち１の種類の賭式におけるオッズ情報と他の種類の賭式におけるオッズ情報との比較に応じて、買い増する賭式を特定する一例として機能する。
【０１０８】
なお、図１０に示すように、賭式が１種類の場合、組合せを考慮しなくてよいので、基準金額よりも少なくなった場合の賭式および買い目のみを特定すればよい。また、賭式が２種類以上の場合でも、異なる賭式で同時に的中となる買い目が無い場合、基準金額よりも少なくなった場合の賭式および買い目のみを特定すればよい。
【０１０９】
また、基準金額よりも少なくなった場合の買い目に対して、それぞれ、少なくとも投票券の購入単位額（\100）を買い増す必要があるため、合計の購入金額と、基準金額よりも少なくなった場合の買い目の数に、投票券の購入単位額（\100）を掛けた額との加算額から計算される加算基準金額より少なくなる他の買い目（基準金額よりも少なくなっていない買い目）も、買い増し対象の買い目として特定する必要がある。
【０１１０】
図１０に示すように、賭式において基準金額よりも少なくなった場合の買い目の数が１つの場合、加算基準金額は、\900となる。”馬連”の買い目”1-3”および”2-3”は、加算基準金額\900以上となるので特定されない。
【０１１１】
次に、投票券情報提供システム１は、購入単位額分買い増した場合の予想配当金額を算出する（ステップＳ７）。具体的には、投票券情報提供サーバ１０が、特定された賭式および買い目に対して、購入単位額分（例えば、最小購入金額\100）を買い増した場合の予想配当金額を算出する。
【０１１２】
図１０に示すような場合、特定された賭式”馬連”および買い目”1-2”に対して、\100買い増し、予想配当金額が、\900となる。
【０１１３】
図１２に示すような場合、特定された賭式”単勝”および買い目”1”に対して、\100買い増し、組合せ合計予想配当金額が、\3,300となる。
【０１１４】
図１３に示すような場合、特定された賭式”単勝”および買い目”1”に対して、\100買い増し、図１４に示すように、賭式”馬単”の買い目”1-2”との組合せ合計予想配当金額が、\3,000となり、図１５に示すように、賭式”馬単”の買い目”1-3”との組合せ合計予想配当金額が、\3,100となる。
【０１１５】
次に、投票券情報提供システム１は、買い増し後の基準金額以上か否かを判定する（ステップＳ８）。具体的には、投票券情報提供サーバ１０が、買い増し後の予想配当金額、または、組合せ合計予想配当金額が、買い増しにより増加した合計購入金額に対する基準金額（買い増し分上乗せされた基準金額）以上か否かを判定する。さらに、いわゆる”トリガミ”が発生しないように、投票券情報提供サーバ１０が、ステップＳ６で特定されていない他の賭式および買い目に対しても、買い増し後の予想配当金額、または、組合せ合計予想配当金額が、買い増し後の基準金額以上か否かを判定する。
【０１１６】
図１０に示すような場合、特定された賭式”馬連”および買い目”1-2”に対して、\100買い増し、買い増し分上乗せされた基準金額が、例えば、買い増しにより増加した合計購入金額\900となる。従って、予想配当金額\900が、買い増し分上乗せされた基準金額以上となる。なお、賭式”馬連”の買い目”1-3”および”2-3”の予想配当金額が、それぞれ、合計購入金額\900以上なので、トリガミにならない。
【０１１７】
図１２に示すような場合、特定された賭式”単勝”および買い目”1”に対して、\100買い増し、買い増し分上乗せされた基準金額が、例えば、買い増しにより増加した合計購入金額\3,400となる。組合せ合計予想配当金額\3,300は、買い増し分上乗せされた基準金額以上とならない。
【０１１８】
図１３に示すような場合、特定された賭式”単勝”および買い目”1”に対して、\100買い増し、買い増し分上乗せされた基準金額が、例えば、買い増しにより増加した合計購入金額\3,400となる。図１４に示すように、賭式”馬単”の買い目”1-2”との組合せ合計予想配当金額\3,000、および、図１５に示すように、賭式”馬単”の買い目”1-3”との組合せ合計予想配当金額\3,100は、買い増し分上乗せされた基準金額以上とならない。
【０１１９】
買い増し後の基準金額以上でない場合（ステップＳ８；ＮＯ）、投票券情報提供システム１は、ステップＳ７の処理に戻り、予想配当金額または組合せ合計予想配当金額が、買い増し後の基準金額以上になるまで、ステップＳ７の処理を繰り返す。
【０１２０】
図１２に示すような場合、特定された賭式”単勝”および買い目”1”に対して、更に\100買い増し、合計\200買い増しすると、賭式”馬単”の買い目”1-2”との組合せ合計予想配当金額\3,550は、買い増し分上乗せされた基準金額（例えば、合計購入金額\3,500）以上になり、特定されていない他の賭式および買い目においても、予想配当金額が、それぞれ、合計購入金額\3,500以上なので、ステップＳ７の処理が終わる。
【０１２１】
なお、図１０に示すような場合、ステップＳ６の処理後、ステップＳ７およびＳ８の処理の代わりに、投票券情報提供サーバ１０が、買い増す金額をｘとし、方程式1.5ｘ＋750＝800＋ｘ（方程式：オッズｘ＋予想配当金額＝合計購入金額＋ｘ）を解いて、ｘ＝100を求めてもよい。また、図１２に示すような場合、ステップＳ６の処理後、ステップＳ７およびＳ８の処理の代わりに、投票券情報提供サーバ１０が、買い増す金額をｘとし、方程式2.5ｘ＋1,800+1,250＝3,300＋ｘを解いて、ｘ＝166.66を求め、投票券の購入単位額（例えば、\100）の自然数倍を満たすように買い増す金額ｘ＝200を算出してもよい。
【０１２２】
図１３に示すような場合、図１４に示すように、特定された賭式”単勝”および買い目”1”に対して、合計\400買い増しすると、賭式”馬単”の買い目”1-2”との組合せ合計予想配当金額\3,750は、買い増し分上乗せされた基準金額（例えば、合計購入金額\3,700）以上になる。図１５に示すように、特定された賭式”単勝”および買い目”1”に対して、合計\400買い増しすると、賭式”馬単”の買い目”1-3”との組合せ合計予想配当金額\3,850は、買い増し分上乗せされた基準金額（例えば、合計購入金額\3,700）以上になる。
【０１２３】
しかし、合計購入金額\3,700となると、特定されていない他の賭式および買い目（馬単”2-1”、”3-1”、”2-3”）の場合、トリガミになってしまう。ステップＳ８において、馬単”2-1”、”3-1”、”2-3”が、新たに特定された賭式および買い目に設定される。ステップＳ７において、馬単”2-1”、”3-1”、”2-3”に対して、それぞれ、\100ずつ買い増しを行う。賭式”馬単”の合計金額は、図１６に示すように、\3,100となる。
【０１２４】
図１６に示すように、賭式”単勝”の買い目”1”を、\600買い増して、組合せ合計予想配当金額\4,250が、合計金額\4,200を超えるまで、ステップＳ７の処理が行われる。
【０１２５】
なお、賭式”単勝”の買い目”1”を\400買い増しても、トリガミになる他の賭式および買い目（馬単”2-1”、”3-1”、”2-3”）の場合、\100の損失なので、これを許容して、基準金額（合計購入金額−\100）とすれば、図１４および図１５に示すような場合で、投票券情報提供サーバ１０が、ステップＳ７の処理の買い増し処理を終了してもよい。基準金額＝合計購入金額−許容限度額となる。許容限度額は、ユーザが設定してもよいし、ユーザ履歴、ユーザの年齢等のユーザ情報により決定されてよい。ユーザが、マイナスは全く許さないタイプなのか、少しなら許せるタイプなのかを、ユーザ情報から求めるようにしてもよい。
【０１２６】
また、図１５に示すように、賭式”馬単”の買い目”1-3”は、\300の買い増しで既に基準金額以上になるので、買い増す対象の買い目、すなわち、特定された買い目から外れてもよい。これ以降、買い増し対象は、賭式”馬単”の買い目”1-2”に注目するようにしてもよい。
【０１２７】
買い増し後の基準金額以上である場合（ステップＳ８；ＹＥＳ）、投票券情報提供システム１は、結果を出力する（ステップＳ９）。具体的には、投票券情報提供サーバ１０が、通信部１１を通して、ユーザに通知する情報を端末装置３０に送信する。なお、投票券情報提供サーバ１０が、会員ＤＢ１２ｄで関連付けられたメールアドレス宛に、ユーザに通知する情報を、メール通知として送信してもよい。
【０１２８】
このように、投票券情報提供サーバ１０は、前前記ユーザから受け付けた投票券の賭式の各買い目に対する各受付金額および前記取得したオッズ情報から計算される各予想配当金額のうち少なくとも１つの予想配当金額が、前記ユーザから受け付けた受付金額の合計に基づいた基準金額よりも少ない場合に、前記ユーザに通知する情報を出力する出力手段の一例として機能する。
【０１２９】
なお、図１０に示すような投票券を購入した場合、投票券情報提供サーバ１０が、図１７に示すようなユーザに通知する情報を端末装置３０に送信する。端末装置３０は、図１７に示すように、受信したユーザに通知する情報を表示部３３に表示する。会員ＤＢ１２ｄで関連付けられたメールアドレス宛に、メールとして送信した場合、メールの画面として、ユーザに通知する情報が、表示部３３に表示される。
【０１３０】
ここで、ユーザに通知する情報の一例として、所定の買い目の予想配当金額が基準金額より下がった場合のお知らせの表示４１と、どの買い目が基準金額よりも下がったかを示す表示４２と、買い増しのレコメンド表示４５と、が挙げられる。表示４２は、特定された賭式および買い目に関する情報を出力の一例である。
【０１３１】
ユーザが買い増しを行う場合、買い増しのボタンが選択され、買い増し手続きの表示がされる。
【０１３２】
また、図１２に示すように、複数の賭式の投票券を購入した後オッズが低下した場合、投票券情報提供サーバ１０が、図１８に示すようなユーザに通知する情報を端末装置３０に送信する。端末装置３０は、図１８に示すように、受信したユーザに通知する情報を表示部３３に表示する。
【０１３３】
また、図１３に示すように、複数の賭式の投票券を購入しオッズが低下した場合、投票券情報提供サーバ１０が、図１９に示すようなユーザに通知する情報を端末装置３０に送信する。端末装置３０は、図１９に示すように、受信したユーザに通知する情報を表示部３３に表示する。
【０１３４】
ここで、ユーザに通知する情報の一例として、所定の買い目の予想配当金額が基準金額より下がった場合のお知らせの表示４１と、どの買い目が基準金額よりも下がったかを示す表示４２と、買い増しのレコメンド表示４５と、買い増しのレコメンド表示４６と、買い増し確認表示４７と、が挙げられる。
【０１３５】
以上のように、本実施形態によれば、投票券の購入後にオッズが低下してしまい、予想配当金額が基準金額（例えば、合計の購入金額や、合計の購入金額から所定の減額を許容した金額）よりも少ない場合に、ユーザに通知する情報（例えば、表示４１、４２、レコメンド表示４５、４６、確認表示４７）を出力するので、ユーザにとって予想外の損失を防止することができる。
【０１３６】
また、基準金額よりも少ない予想配当金額となる賭式および買い目を特定し、特定された賭式および買い目に関する情報（例えば、表示４２）を出力する場合、どの賭式の買い目の予想配当金額が基準金額よりも少なくなったことが分かり、ユーザにとって予想外の損失を防止することができる。
【０１３７】
また、基準金額よりも少ない予想配当金額となる賭式および買い目を特定し、特定された賭式および買い目が示す投票券を買い増した場合の予想配当金額が、当該買い増し分上乗せされた基準金額以上となる賭式、買い目、および、買い増した金額をユーザに通知する情報に含めて出力する場合、買い増しにより予想外の損失を低減できるように、図１７から図１９に示すように、ユーザにレコメンドできる。また、基準金額よりも少ない予想配当金額となる賭式および買い目を特定してから、買い増しする額を決めるので、効率的に買い増しする金額を決めることができる。
【０１３８】
また、基準金額よりも少ない予想配当金額となる賭式および買い目を特定し、特定された賭式および買い目が示す投票券を購入単位額分買い増した場合の予想配当金額が、当該買い増し分上乗せされた基準金額以上となるまで繰り返し、繰り返した結果となる賭式、買い目および買い増した金額をユーザに通知する情報に含めて出力する場合、買い増しにより予想外の損失を低減できるように、ユーザにレコメンドできる。また、基準金額よりも少ない予想配当金額となる賭式および買い目を特定してから、買い増しする額を、購入単位額分買い増して逐次決めるので、簡易に効率的に買い増しする金額を決めることができる。
【０１３９】
また、基準金額よりも少ない予想配当金額となる賭式および買い目のみを特定する場合、基準金額よりも少ない予想配当金額となる賭式および買い目のみに買い増する対象を絞り込むことにより、買い増する買い目を効果的に探索できる。
【０１４０】
また、買い増し分上乗せされた基準金額が、受付金額の合計（合計の購入金額）と、賭式において基準金額よりも少ない前記予想配当金額となる買い目の数に投票券の購入単位額（例えば、\100）を掛けた額と、の加算額から計算さ、当該買い増し分上乗せされた前記基準金額よりも少ない予想配当金額となる買い目から、買い増する買い目を特定する場合、買い増する対象を絞り込むことにより、買い増する買い目を効果的に探索できる。
【０１４１】
また、図７に示すように、ユーザから受け付けた賭式の種類が２以上のとき、当該賭式の種類のうち１の種類の賭式におけるオッズ情報と他の種類の賭式におけるオッズ情報との比較に応じて、買い増する賭式を特定する場合、買い増す賭式を効果的に絞り込むことができる。
【０１４２】
また、受付金額の合計から求まる基準金額が、受付金額の合計よりも許容限度額分少ない額例えば、合計の購入金額の５％を減額した金額、ユーザの履歴に基づき減額した金額）である場合、買い増しをする金額を少なくすることができる。
【０１４３】
また、許容限度額は、ユーザのユーザ情報により設定される場合、ユーザに応じて、各ユーザに適合した許容限度額を設定できる。
【０１４４】
なお、ステップＳ１からＳ９までの処理を、アプリケーションソフトにより端末装置３０が行ってもよい。
【０１４５】
ステップＳ１において、端末装置３０が、操作部３４から投票券の賭式、賭式における買い目、および、各買い目に対する金額等の投票券購入情報を受け付ける。
【０１４６】
ステップＳ２において、端末装置３０が、投票券情報提供サーバ１０から、投票券のレースが開始されたか否かの情報を取得して、判定を行う。
【０１４７】
ステップＳ３において、端末装置３０が、投票券情報提供サーバ１０から最新のオッズ情報を取得する。
【０１４８】
ステップＳ４のように、端末装置３０が、投票券情報提供サーバ１０から取得した最新のオッズと、購入金額とを掛けた予想配当金額を算出する。
【０１４９】
ステップＳ５のように、端末装置３０が、予想配当金額が基準金額よりも少ないか否かを判定する。
【０１５０】
ステップＳ６のように、端末装置３０が、買い増しする賭式および買い目を特定する。
【０１５１】
ステップＳ７のように、端末装置３０が、購入単位額分買い増した場合の予想配当金額を算出する。
【０１５２】
ステップＳ８のように、端末装置３０が、買い増し後の基準金額以上か否かを判定する。
【０１５３】
ステップＳ９のように、端末装置３０が、ユーザに通知する情報を生成して、ユーザに通知する情報を表示部３３に表示する。
【０１５４】
買い増す場合は、端末装置３０が、買い増し情報を投票券情報提供サーバ１０に送信する。
【０１５５】
投票券情報提供サーバ１０による一連の処理を、端末装置３０が行っても、同様の効果を得ることができる。
【０１５６】
さらに、本発明は、上記各実施形態に限定されるものではない。上記各実施形態は、例示であり、本発明の特許請求の範囲に記載された技術的思想と実質的に同一な構成を有し、同様な作用効果を奏するものは、いかなるものであっても本発明の技術的範囲に包含される。
【符号の説明】
【０１５７】
１：投票券情報提供システム
１０：投票券情報提供サーバ（投票券情報提供装置）
１２ａ： レース情報ＤＢ
１２ｂ： 購入投票券ＤＢ
３０：端末装置（投票券情報提供装置）
【要約】
公営競技のレースに関するオッズ情報を取得し（Ｓ３）、公営競技のレースに出場する競争体のうち１以上の競争体を指定する投票券の賭式と、当該賭式における買い目と、当該買い目のそれぞれに対する受付金額とを、ユーザから受け付け（Ｓ１）、ユーザから受け付けた投票券の賭式の各買い目に対する各受付金額および取得したオッズ情報から計算される各予想配当金額のうち少なくとも１つの予想配当金額が、ユーザから受け付けた受付金額の合計に基づいた基準金額よりも少ない場合に、ユーザに通知する情報を出力する（Ｓ４からＳ９）。【図１】
0005760158.tif 000002
【図２】
0005760158.tif 000003
【図３】
0005760158.tif 000004
【図４】
0005760158.tif 000005
【図５】
0005760158.tif 000006
【図６】
0005760158.tif 000007
【図７】
0005760158.tif 000008
【図８】
0005760158.tif 000009
【図９】
0005760158.tif 000010
【図１０】
0005760158.tif 000011
【図１１】
0005760158.tif 000012
【図１２】
0005760158.tif 000013
【図１３】
0005760158.tif 000014
【図１４】
0005760158.tif 000015
【図１５】
0005760158.tif 000016
【図１６】
0005760158.tif 000017
【図１７】
0005760158.tif 000018
【図１８】
0005760158.tif 000019
【図１９】
0005760158.tif 000020